(57)【要約】【課題】本発明は、外光と施設の室内照明とのバランスを緩和させ、外側から見た店内のイメージを効率よく演出、強調することを課題とする。【解決手段】本発明の照明制御システムは、ショールームや店舗等の施設の一面に、その室内を視認可能な透明板からなる窓面が設けられ、しかも、室内には、前記窓面と対向する奥側に壁面が設けられ、前記室内には、室内空間を照明する照明器具が設けられている。そして、外光検出センサおよび室内光検出センサの検出信号に基づいて、外光の照度が室内の照度に対して設定値以上となったときに、前記照明器具が前記奥側壁面を照射するように前記照明器具による壁面側照度の配光を制御することにある。【選択図】  図１
2008257981.tif 000002
【特許請求の範囲】
【請求項１】
ショールームや店舗等の施設の一面に、その室内を視認可能な透明板からなる窓面が設けられ、しかも、室内には、前記窓面と対向する奥側に壁面が設けられ、前記室内には、室内空間を照明する照明器具が設けられた照明制御システムにおいて、
自然光に応じた外光の照度を検出する外光検出センサと、室内の照度を検出する室内光検出センサと、前記外光検出センサおよび室内光検出センサの検出信号に基づいて、外光の照度が室内の照度に対して設定値以上となったときに、前記照明器具が前記奥側壁面を照射するように前記照明器具による壁面側照度の配光を制御する制御装置とを備えたことを特徴とする照明制御システム。
【請求項２】
前記施設内は任意の設定照度に調整され、設定照度の３〜６倍の照度になるように壁面側照度の配光を制御する請求項１に記載の照明制御システム。
【請求項３】
前記外光検出センサは、施設内の窓際若しくは施設外部に取り付けられている請求項１または２に記載の照明制御システム。
【請求項４】
ショールームや店舗等の施設の一面に、その室内を視認可能な透明板からなる窓面が設けられ、しかも、室内には、前記窓面と対向する奥側に壁面が設けられ、前記室内には、室内空間を照明する照明器具が設けられた照明制御システムにおいて、
昼夜の区分信号を発するタイマ回路部と、室内の照度を検出する室内光検出センサと、前記タイマ回路部および室内光検出センサの検出信号に基づいて、昼間と夜間の照明制御モードを切り替える制御装置とを備え、前記タイマ回路部が昼の区分信号を発した際に、制御装置は、前記照明器具が前記奥側壁面を照射するように前記照明器具による壁面側照度の配光を制御することを特徴とする照明制御システム。
【発明の詳細な説明】
【技術分野】
【０００１】
本発明は、ショールームや店舗等の商業施設における照明制御システムに関する。
【背景技術】
【０００２】
従来、ショールームや店舗等の商業施設における照明制御システムは、外光検出センサで外光を検出し、その外光の明暗に応じた室内の照明の調光制御を行なうもので、省エネを主目的にしたものであった（例えば、特許文献１参照）。
【特許文献１】特開２００５−３７１０９号公報
【発明の開示】
【発明が解決しようとする課題】
【０００３】
一般的に、自然光に応じた外光照度の強い朝や昼は、窓面を通して施設内を見た場合、施設内が暗く見えがちで営業の有無が分かりずらい場合がある。また、太陽光の影響を受けやすい店舗では、室内の照明の調光制御を行なってはいるが、室内照明と外光との照度バランスが、最大で１：１００と大きくなり、室内が見え難くなるミラー現象が発生する。特に、夏場では、室内照明と外光との照度の値は、１００：１０００００ルクス（ｌｘ）となる場合がある。このように、ミラー現象が発生すると、ショールーム等においては、展示物を施設外から視認することが困難となる問題があった。
【０００４】
本発明は、外光と施設の室内照明とのバランスを緩和させ、外側から見た店内のイメージを効率よく演出、強調することを第１の課題とする。
【０００５】
また、付帯効果として省エネも実現することを第２の課題とする。
【課題を解決するための手段】
【０００６】
本発明は、前記課題を解決するためになされたもので、その特徴は、ショールームや店舗等の施設の一面に、その室内を視認可能な透明板からなる窓面が設けられ、しかも、室内には、前記窓面と対向する奥側に壁面が設けられ、前記室内には、室内空間を照明する照明器具が設けられた照明制御システムにおいて、
自然光に応じた外光の照度を検出する外光検出センサと、室内の照度を検出する室内光検出センサと、前記外光検出センサおよび室内光検出センサの検出信号に基づいて、外光の照度が室内の照度に対して設定値以上となったときに、前記照明器具が前記奥側壁面を照射するように前記照明器具による壁面側照度の配光を制御する制御装置とを備えたことにある。
【０００７】
そして、ショールームや店舗等の商品展示、飲食、販売の為の商業施設において、外光の明暗に対して施設内の照明の配光を制御することにより、外側から見た店内のイメージを効率よく演出、強調することができる。
【０００８】
また、本発明の前記施設内は任意の設定照度に調整され、設定照度の３〜６倍の照度になるように奥側壁面側照度の配光を制御することにある。さらに、前記外光検出センサは、施設内の窓際若しくは施設外部に取り付けられている。
【０００９】
そして、昼間など太陽光が室内に多く入る場合は、室内の所定部分は室内光検出センサにより、任意の設定照度に調整されており、省エネ効果もあるとともに、奥側壁面側の空間は、設定照度の３〜６倍の照度になるように壁面側照度の配光を制御する。従って、施設内の照明による配光分布に関して、施設内の窓際若しくは施設外部に取り付けられた外光検出センサにより、外光の照度を常時検知（モニター）し、その明るさにより予め設定（記憶）された照度毎の配光設置を自動制御にて再現することができる。
【００１０】
本発明の照明制御システムにおいて、昼夜の区分信号を発するタイマ回路部と、室内の照度を検出する室内光検出センサと、前記タイマ回路部および室内光検出センサの検出信号に基づいて、昼間と夜間の照明制御モードを切り替える制御装置とを備え、前記タイマ回路部が昼の区分信号を発した際に、制御装置は、前記照明器具が前記奥側壁面を照射するように前記照明器具による壁面側照度の配光を制御することにある。
【発明の効果】
【００１１】
本発明は、外光の明暗に対して施設内の照明の配光を制御することにより、外光と室内照明のバランスを緩和させることができ、ショールームや店舗等の商品展示、飲食、販売の為の商業施設において、外側から見た店内のイメージを効率よく演出、強調することができる。
【発明を実施するための最良の形態】
【００１２】
以下、本発明の実施の形態について、図面を参照しながら説明する。
【００１３】
図１〜図４は、本発明の実施形態の照明制御システムを示し、本システムは、営業施設として、例えば、ショールームや店舗１を例示するが、特に限定されるものではない。
【００１４】
営業施設である店舗１は、図２および図３に示すように、４方の側面の中で１面には、透明板としてのガラス面３が配置されている。すなわち、一面が透明の窓ガラス面３で、他方の３方は左右側壁面４、５と、ガラス面３に対して最も奥側に位置し且つガラス面３と対向する奥側壁面６となっている。なお、ガラス面３は、歩道や道路側に面した窓ガラスからなり、店舗１の出入も可能なものである。通行人はガラス面３を通して店舗１内を視認することができるようになっている。
【００１５】
店舗１内は、窓側の第１エリアＡと、奥側壁面６側の第２エリアＢとに区分する。第１エリアＡは、例えば乗用車等の展示物９を展示するための展示空間として利用される。第２エリアＢは、主に展示物９と壁面６とに所定の間隔を有するように設ける空間である。第１エリアＡは、窓側（ガラス面３）からエリアａ１とエリアａ２とエリアａ３との３つのエリアに区画する。
【００１６】
また、図３および図４に示すように、店舗１の天井面７には、複数個の照明装置１０が設けられている。かかる照明装置１０は、図２に示すように、調光調整が可能な調光式照明器具１０ａと、配光調整が可能な可動式照明器具１０ｂとから構成されている。調光式照明器具１０ａおよび可動式照明器具１０ｂは、各第１エリアＡおよび第２エリアＢの任意の位置にそれぞれ配置されている。
【００１７】
従って、第１エリアＡの各エリアａ１、ａ２、ａ３および第２エリアＢの調光調整および配光調整が可能となっている。照明器具としては、ダウンライト、ウォールウッシャー、ブラケット、スポットライト等が使用させる。光源としては、直管蛍光灯、ＨＩＤ、ハロゲンランプ等の点光源等を適宜使用することができる。
【００１８】
店舗１内の窓際または店舗１の外部には、店舗１外部の自然光（以下、外光という）の照度を検出するための外光検出センサ１７が設けられている。また、第１エリアＡおよび第２エリアＢの任意の位置には、店舗１内部の照度を検出するための室内光検出センサ１８ａ、１８ｂ、１８ｃがそれぞれ設けられている。室内光検出センサは、複数個設けた場合を例示するが、単体であってよい。そして、前記調光式照明器具１０ａおよび可動式照明器具１０ｂは、外光検出センサ１７および室内光検出センサ１８の検出信号に基づいて制御装置２０により、それぞれ制御されるようになっている。
【００１９】
図１に前記制御装置２０を備えた本実施形態の照明制御システムの基本構成を示す。同図に示すように、制御装置２０は、演算回路部２１と、制御回路部２２と、調光信号出力部２５ａ、２５ｂと、可動信号出力部２６ａ、２６ｂとを備えている。
【００２０】
演算回路部２１は、外光検出センサ１７および室内光センサ１８ａ、１８ｂ、１８ｃからの検出信号を受ける。具体的には、室内光センサ１８ａ、１８ｂ、１８ｃからの検出信号を受けて、予め設定された室内照度となるように信号を制御回路部２２に伝送する。また、演算回路部２１は、外光検出センサ１７からの検出信号を受けて、外光の照度と設定された室内照度とを比較演算する。
【００２１】
この結果、演算回路部２１は、外光が設定された室内照度に対して所定値以上であると判断した場合には、店舗１内の奥側の第２エリアＢ付近の照度が、店舗中央付近の店舗中央付近（エリアａ２を中心とする第１エリアＡの部分）の照度に対して所定値（所定の範囲内）となるように、制御回路部へ信号を伝送する。例えば、演算回路部２１は、外光が１００００ｌｘ以上と判断した場合には、第２エリアＢ付近の照度が、店舗中央付近の店舗中央付近の照度の３〜６倍になるように、制御回路部へ信号を伝送する。
【００２２】
制御回路部２２は、演算回路部２１にて算出された信号を受け、調光および可動のための制御信号を、調光信号出力部２５ａ、２５ｂおよび可動信号出力部２６ａ、２６ｂを介して、各照明器具へ発信する。すなわち、制御回路部２２は、演算回路部２１からの信号に基づいて、店舗中央付近の照度が設定値となるように、各調光式照明器具１０ａおよび可動式照明器具１０ｂを制御する。
【００２３】
また、制御回路部２２は、外光が１００００ｌｘ以上の場合には、第２エリアＢ付近の照度が、店舗中央付近の店舗中央付近の照度の３〜６倍になるように、所定の可動式照明器具１０ｂの角度制御を行ない、照明器具１０ｂは奥側壁面６を照射するようになっている。
【００２４】
また、各センサ１７、１８による自動制御システムに優先する手動による動作制御部２４が設けられている。
【００２５】
次に、以上の構成からなる照明制御システムの動作について説明する。
【００２６】
外光検出センサ１７は、店舗１の屋外の入口および室内窓際部付近の照度を検出し、その検出信号を演算回路部２１へ伝送する。
【００２７】
各室内光センサ１８ａ、１８ｂ、１８ｃは、店舗１内部の任意の場所の照度を検出し、検出信号を演算回路部２１へ伝送する。
【００２８】
演算回路部２１は、外光検出センサ１７から受けた検出信号を演算する。店舗窓際から奥側（最奥部の手前）にかけた第１エリアＡに関しては、そのエリアの天井面７に取り付けられた室内検出センサ１８ａ、１８ｂの検出照度が５００〜２０００ｌｘまでの範囲内で任意に設定した所定照度となるように調節するための信号を、制御回路部２２へ伝送する。制御回路部２２は、制御信号を各照明器具１０ａ、１０ｂへ伝送し、所定照度が得られるように照明器具１０ａ、１０ｂの調整を行なう。
【００２９】
外光検出センサ１７の検出信号に基づき、外光が１００００ｌｘ以上であると判断した場合、店舗１内最奥箇所の第２エリアＢ付近の照度を、店舗中央付近の照度の３〜６倍になるように制御回路部２２へ信号を伝送する。制御回路部２２は、第２エリアＢの可動式照明器具１０ｂを制御し、この照明器具１０ｂの可動調整を行ない、奥側壁面６を照射する（図３参照）。この結果、店舗１内の奥側壁面６方向の照度が明るくなり、室内が見え難くなるミラー現象が防止でき、店舗１の存在を充分にアピールすることができる。
【００３０】
また、夜間や悪天候等太陽光が室内に入る影響が低い場合（外光が低照度の場合）、店舗１内は、所定のエリア内で設定された室内照度に合わせて、調光式照明器具１０ａおよび可動式照明器具１０ｂから照射される。このとき、第２エリアＢの最奥部は、壁面光照度の照射のモードから第１エリアＡと同等の照度設定モードに切り替わる（図４）参照）。
【００３１】
以上のように、店舗やショールーム等の商業施設において、昼夜の外光照度の変化に合わせた施設内の配光または照度を制御することが可能となる。外光照度の強い朝、昼は施設内が暗く見えがちで営業の有無が分かりずらい場合がある。こんな場合に施設の存在をアピールするために、施設内の奥側の壁面方向の照度が明るくなるように配光することができる。
【００３２】
また、夜間の外光が弱い時間帯は施設内全体を配光することにより、外部から見た施設の存在を強調する配光を実現することができる。
【００３３】
配光のみならず調光制御機能も付加しているので、より詳細な配光制御と省エネの実現も同時に行うことも可能である。
【００３４】
本発明は、前記実施の形態に限定されるものではない。例えば、図１に示すように、タイマ回路部３０を設け、このタイマ回路３０で設定された時刻で昼夜の区分信号（ＯＮ―ＯＦＦ）を検出し、演算回路部２１へ昼夜区分信号を伝送するようにしてもよい。かかる場合には、タイマ回路３０により、外光の影響の無くなる時間帯を予め設定し、昼間と夜間の照明制御モード切り替え信号を制御回路２２へ伝送する。
【００３５】
そして、前記タイマ回路部３０が昼の区分信号を発した際には、制御装置２０は、前記可動式照明器具１０ｂが奥側壁面６を照射するように可動式照明器具１０ｂを制御する。また、前記タイマ回路部３０が夜の区分信号を発した際には、店舗１内を室内照度に合わせて、調光式照明器具１０、１１および可動式照明器具１２、１３から照射される。
【００３６】
また、図４に示すように、外光照度の変化に合わせ第１エリアＡおよび第２エリアＢに設けた可動式照明器具１０ｂを可動させて、照射位置を変更することも可能である。すなわち、同図（ａ）は、可動式照明器具１０ｂを最も奥側に回転させ、照射位置を奥側にした場合を示す。同図（ｂ）は、照射位置を（ａ）よりも窓側にした場合を示す。同図（ｃ）は、照射位置を下方側にした場合を示す。
【図面の簡単な説明】
【００３７】
【図１】本発明のシステムを示すブロック図である。
【図２】店舗の断面平面図である。
【図３】本実施の形態に関する昼間における店舗の概略を示す断面図である。
【図４】同夜間における店舗の概略を示す断面図である。
【図５】本発明の他の実施の形態を示し、（ａ）〜（ｃ）は各店舗の概略をそれぞれ示す断面図である。
【符号の説明】
【００３８】
１      店舗（施設）
３      ガラス面（透明板）
６      壁面（奥側壁面）
７      天井面
９      展示物
１０    照明装置
１０ａ  調光式照明器具
１０ｂ  可動式照明器具
１７    外光検出センサ
１８    室内光検出センサ
２０    制御装置
２１    演算回路部
２２    制御回路部
Ａ      第１エリア
Ｂ      第２エリア
【図１】
2008257981.tif 000003
【図２】
2008257981.tif 000004
【図３】
2008257981.tif 000005
【図４】
2008257981.tif 000006
【図５】
2008257981.tif 000007